【手続補正書】
【提出日】平成25年3月4日(2013.3.4)
【手続補正１】
【補正対象書類名】明細書
【補正対象項目名】００３７
【補正方法】変更
【補正の内容】
【００３７】
例えばＹコイル２３４に励磁用送信電流を流して、漏洩磁束を測定した結果、図６に示すような結果が得られた。この図６の例は、周波数６６７ｋＨｚ、６０ｍＡの交番電流を励磁用送信電流としてＹコイル２３４に流したときの特性であり、横軸は、センサ基板２３０のＹ方向の端部からＹコイル２３４までの距離、縦軸は不要放射レベルである。
【手続補正２】
【補正対象書類名】明細書
【補正対象項目名】００３８
【補正方法】変更
【補正の内容】
【００３８】
この図６からは、許容できる不要放射レベルの閾値を１５ｄＢとすると、Ｙコイル２３４はセンサ基板２３０のＹ方向の端部から約１ｃｍ以上離れていれば良いことが判る。
【手続補正３】
【補正対象書類名】明細書
【補正対象項目名】００５９
【補正方法】変更
【補正の内容】
【００５９】
なお、補助用コイル２３５は、領域Ｄ部上で位置指示される位置指示器１に十分な誘導磁界を与えることができる磁束を発生させることができれば良いので、この補助用コイルの大きさは領域Ｄ部よりも大きくても、また、小さくても良い。
【手続補正４】
【補正対象書類名】明細書
【補正対象項目名】００７４
【補正方法】変更
【補正の内容】
【００７４】
サンプルホールド回路３０７は、制御回路３０１からのサンプルホールド用のクロック信号により、所定タイミング、具体的には、受信モード中の所定タイミングにおける検波回路３０６からの電圧値を保持し、Ａ／Ｄ変換回路３０８へ送出する。Ａ／Ｄ変換回路１１３は、サンプルホールド回路３０７のアナログ出力をディジタル信号に変換し、制御回路３０１に出力する。
【手続補正５】
【補正対象書類名】明細書
【補正対象項目名】００７９
【補正方法】変更
【補正の内容】
【００７９】
制御回路３０１は、上記送信モードの動作を所定時間継続した後に、送受切替回路３０３を制御して、動作モードを受信モードに切り替える。この切り替えによって、信号発生回路３０９からの信号が選択回路３０２に入力されなくなる。そして、制御回路３０１は、受信モードで選択するループコイルを、その直前の送信モードで選択されているループコイルとは異なるループコイルに変更させる場合には、選択回路３０２に対して、その変更制御指示を送り、選択するループコイルを変更するように制御する。受信モードにおいて、その直前の送信モードとで同じループコイルを用いる場合には、制御回路３０１は、このループコイルの変更制御は行わない。
【手続補正６】
【補正対象書類名】明細書
【補正対象項目名】００８１
【補正方法】変更
【補正の内容】
【００８１】
そして、この増幅回路３０４からの出力信号がバンドパスフィルタ３０５に供給されて帯域制限され、このバンドパスフィルタ３０５からの所定周波数帯域成分が検波回路３０６に入力される。この成分は検波回路３０６によって電圧値に変換され、サンプルホールド回路３０７に保持される。サンプルホールド回路３０７に保持された電圧値は、Ａ／Ｄ変換回路３０８によってデジタルデータに変換されて制御回路３０１に出力される。
【手続補正７】
【補正対象書類名】明細書
【補正対象項目名】００９１
【補正方法】変更
【補正の内容】
【００９１】
以上のようにして、Ｘコイル２３３−ｋについての送受のモードが終了したら、制御回路３０１は、１または複数本置き例えば３本置きのＸコイル２３３−（ｋ＋４）を選択するように選択回路３０２を制御する。そして、新たに選択された送受のＸコイル２３３−（ｋ＋４）について、上述の送信モードおよび受信モードを繰り返す。以降、同様にして、制御回路３０１は、この例では、３本置きのＸコイル２３３−（ｋ＋８）、Ｘコイル２３３−（ｋ＋１２）、・・・というようにして、送受のＸコイルを、センサ基板２３０の右端からｄｘ以上離れた位置のＸコイル２３３−（Ｎ−ｋ´）まで切り替え、選択された各送受のＸコイルについて上述の送信モードおよび受信モードを繰り返す。
【手続補正８】
【補正対象書類名】明細書
【補正対象項目名】００９３
【補正方法】変更
【補正の内容】
【００９３】
すなわち、制御回路３０１は、センサ基板２３０のＹ方向の一方の端部、例えば、センサ基板２３０の上端から距離ｄｙ以上離れた位置のＹコイル２３４、例えばＹコイル２３４−ｐを、このステップＳ２のグローバルスキャンの最初のループコイルとして選択回路３０２に選択させる。ここで、ｐは、（センサ基板２３０のＹ方向の端部から距離ｄｙ内に含まれるＹコイル２３４の本数＋１）以上の整数である。後述するｐ´も同様の整数である。そして、制御回路３０１は、送受切替回路３０３を送信モードに切り替え、そのＹコイル２３４−ｐに信号発生回路３０９からの信号電流を流す。
【手続補正９】
【補正対象書類名】明細書
【補正対象項目名】００９５
【補正方法】変更
【補正の内容】
【００９５】
以上のようにして、Ｙコイル２３４−ｐについての送受のモードが終了したら、制御回路３０１は、１または複数本置き例えば３本置きのＹコイル２３４−（ｐ＋４）を選択するように選択回路３０２を制御する。そして、新たに選択された送受のＹコイル２３４−（ｐ＋４）について、上述の送信モードおよび受信モードを繰り返す。以降、同様にして、制御回路３０１は、この例では、３本置きのＹコイル２３４−（ｐ＋８）、Ｙコイル２３４−（ｐ＋１２）、・・・というようにして、送受のＹコイルを、センサ基板２３０の下端からｄｙ以上離れた位置のＹコイル２３４−（Ｍ−ｐ´）まで切り替え、選択された各送受のＹコイルについて上述の送信モードおよび受信モードを繰り返す。
【手続補正１０】
【補正対象書類名】明細書
【補正対象項目名】０１０１
【補正方法】変更
【補正の内容】
【０１０１】
そして、送信コイルを補助用コイル２３５−１とし、受信コイルを左上隅の領域Ｄ部を通るＸコイル２３３またはＹコイル２３４の異なる１本とする送受のモードを繰り返した後は、制御回路３０１は、例えば右上隅の領域Ｄ部についての粗コーナースキャンを実行する。すなわち、制御回路３０１は、送信コイルを補助用コイル２３５−２とし、受信コイルを右上隅の領域Ｄ部を通るＸコイル２３３または２３４の異なる１本とする送受のモードを繰り返すように制御する。
【手続補正１１】
【補正対象書類名】明細書
【補正対象項目名】０１０２
【補正方法】変更
【補正の内容】
【０１０２】
そして、この右上隅の領域Ｄ部についての粗コーナースキャンが終了すると、制御回路３０１は、左下隅の領域Ｄ部について、送信コイルを補助用コイル２３５−３とし、受信コイルを左下隅の領域Ｄ部を通るＸコイル２３３またはＹコイル２３４の異なる１本とする送受のモードを繰り返す粗コーナースキャンを実行する。
【手続補正１２】
【補正対象書類名】明細書
【補正対象項目名】０１０３
【補正方法】変更
【補正の内容】
【０１０３】
さらに、この左下隅の領域Ｄ部についての粗コーナースキャンが終了すると、制御回路３０１は、右下隅の領域Ｄ部について、送信コイルを補助コイル２３５−４とし、受信コイルを右下隅の領域Ｄ部を通るＸコイル２３３またはＹコイル２３４の異なる１本とする送受のモードを繰り返す粗コーナースキャンを実行する。以上で、このステップＳ４の粗コーナースキャンが終了する。
【手続補正１３】
【補正対象書類名】明細書
【補正対象項目名】０１１２
【補正方法】変更
【補正の内容】
【０１１２】
さらに、制御回路３０１は、Ｘコイル２３３およびＹコイル２３４の両方の受信結果が有意な値を示している場合において、上記の場合以外のときには、領域Ｃ部のみをセクタスキャンすべき領域と判定する。領域Ｃ部においては、図１０に示したように、送信コイルについては制約は無く、Ｘコイル２３３とＹコイル２３４のいずれも使用することができる。そこで、制御回路３０１は、判定した領域において、例えば、先ず、１本ずつのＸコイル２３３について送受のモードを実行し、その後、１本ずつのＹコイル２３４について送受のモードを実行する。そして、制御回路３０１は、一時記憶した各Ｘコイル２３３の受信結果および各Ｙコイル２３４の受信結果に基づき、位置指示器１の位置データを生成し、出力する。
【手続補正１４】
【補正対象書類名】明細書
【補正対象項目名】０１２７
【補正方法】変更
【補正の内容】
【０１２７】
さらに、制御回路３０１は、Ｘコイル２３３およびＹコイル２３４の両方の受信結果が有意な値を示している場合において、上記の場合以外のときには、領域Ｃ部のみをセクタスキャンすべき領域と判定する。領域Ｃ部においては、図１０に示したように、送信コイルについては制約は無く、Ｘコイル２３３とＹコイル２３４のいずれも使用することができる。そこで、制御回路３０１は、判定した領域において、例えば、先ず、１本ずつのＸコイル２３３について送受のモードを実行し、その後、１本ずつのＹコイル２３４について送受のモードを実行する。そして、制御回路３０１は、一時記憶した各Ｘコイル２３３の受信結果および各Ｙコイル２３４の受信結果に基づき、位置指示器１の位置データを生成し、出力する。